(57)【要約】      （修正有）【課題】簡単な構造で度数を調整することが可能な老眼鏡および老眼鏡セットを提供する。【解決手段】度の付いていないレンズ４がフレーム６に嵌め合わされてなる眼鏡２Ａに、度付きのつる無しレンズ部材２Ｂが磁石により着脱自在に取付けられており、眼鏡２Ａに対し、適宜な度の付いた度付きのつる無しレンズ部材２Ｂを適宜交換することで所定の度数を備えた老眼鏡２を構成する。【選択図】図１
0003212870.tif 000002
【実用新案登録請求の範囲】
【請求項１】
度の付いていないレンズがフレームに嵌め合わされてなる眼鏡に、度付きのレンズが具備されてなるつる無しレンズ部材が、１ないし複数個着脱自在に取付けられていることを特徴とする老眼鏡。
【請求項２】
前記度の付いていないレンズがフレームに嵌め合わされてなる眼鏡に、前記度付きのレンズが具備されてなるつる無しレンズ部材が、マグネットの磁力により１ないし複数個着脱自在に取付けられていることを特徴とする請求項１に記載の老眼鏡。
【請求項３】
請求項１または２に記載の老眼鏡が、
前記眼鏡と前記つる無しレンズ部材とに分解された状態で、ケース内に具備されていることを特徴とする老眼鏡セット。
【考案の詳細な説明】
【技術分野】
【０００１】
本考案は、必要に応じて異なる度数に調整することが可能な老眼鏡および老眼鏡セットに関する。
【背景技術】
【０００２】
老眼の人にとっては、眼の疲れ具合、あるいは目視する活字の大きさなどにより、通常とは度数の異なるレンズを使用したい場合がある。
【０００３】
このような場合に、一つの眼鏡で度数を調整することができれば、老眼鏡を何本も用意しなくて良いので便利である。
なお、一つの眼鏡で例えば近眼と老眼との２つの機能を使い分けることにより、眼鏡の本数を抑えることは従来より行われている。
【０００４】
例えば、特許文献１では、使用頻度の高い眼鏡フレームと、この眼鏡フレームに対し、時折用いる予備側の可動フレームを回動自在の態様で取付けることにより、近眼用と老眼用の２本の眼鏡を掛け替えなくてすむようにしている。
【０００５】
特許文献１のような方式を老眼鏡に採用することにより眼鏡の本数を少なくすることも考えられるが、この方式では、使用頻度の高い眼鏡フレームに対して予備側の可動フレームを回動自在に支承させる構造であるため、その構造が複雑になるとともに、予備側の可動フレームの取付け作業が煩雑になるという問題があった。
【先行技術文献】
【特許文献】
【０００６】
【特許文献１】特開平７−１２８６２０号公報
【考案の概要】
【考案が解決しようとする課題】
【０００７】
本考案は、このような実情に鑑み、簡単な構造で度数を調整することが可能な老眼鏡および老眼鏡セットを提供することを目的としている。
【課題を解決するための手段】
【０００８】
上記目的を達成するための本考案に係る老眼鏡は、
度の付いていないレンズがフレームに嵌め合わされてなる眼鏡に、度付きのレンズが具備されてなるつる無しレンズ部材が、１ないし複数個着脱自在に取付けられていることを特徴とする。
【０００９】
このような構成の老眼鏡であれば、度の付いていないレンズがフレームに嵌め合わされてなる眼鏡に対し、度付きのレンズが具備されてなるつる無しレンズ部材を選択して取付けることができるので、必要に応じた度数に調整することができる。
【００１０】
さらに、本考案では、
前記度の付いていないレンズがフレームに嵌め合わされてなる眼鏡に、前記度付きのレンズが具備されてなるつる無しレンズ部材が、マグネットの磁力により１ないし複数個着脱自在に取付けられていることが好ましい。
【００１１】
このような構成であれば、着脱作業が容易であるとともに、マグネットを視認させないことで、デザイン的にも良好になる。
【００１２】
また、本考案に係る老眼鏡セットでは、上記いずれかに記載の老眼鏡が、前記眼鏡と前記つる無しレンズ部材とに分解された状態で、ケース内に具備されていることを特徴とする。
【００１３】
このような構成であれば、持ち運びが容易であるとともに、多くの人が老眼鏡を使用する場所などにおいて、様々な度数の老眼鏡を選択的に提供することができる。
【考案の効果】
【００１４】
本考案の老眼鏡によれば、度の付いていないレンズがフレームに嵌め合わされてなる眼鏡に、度付きのレンズが具備されてなるつる無しレンズ部材が、着脱自在に取り付けられているので、簡単な構造で度数を調整することができる。
したがって、このような構成であれば、複数種類の老眼鏡を用意しなくても様々な度数の老眼鏡を提供することができる。
【００１５】
また、本考案の老眼鏡セットによれば、ケース内に収容された多種類のつる無しレンズ部材の中から、適宜なものを選択することにより、所望とする度数の老眼鏡を構成することができる。
【図面の簡単な説明】
【００１６】
【図１】図１は本考案の一実施例に係る老眼鏡を示した分解斜視図である。
【図２】図２は図１に示した一実施例の老眼鏡を、上方から見た平面図である。
【図３】図３は、図２で示した老眼鏡を組み付けたときの平面図である。
【図４】図４は、度の付いていないレンズがフレームに嵌め合わされてなる１つの眼鏡に対し、度付きのレンズが具備されてなるつる無しレンズ部材を４個備えることにより構成された老眼鏡セットの斜視図である。
【図５】図５は、図４に示した構成要素が一つのケース内に収納された老眼鏡セットの斜視図である。
【考案を実施するための形態】
【００１７】
以下、本考案に係る老眼鏡および老眼鏡セットについて具体的に説明する。
図１は、本考案の一実施例に係る老眼鏡を示したものである。
本実施例の老眼鏡２は、一般には、伊達眼鏡と称される度の付いていない眼鏡２Ａと、度付きのレンズが具備されてなるつる無しレンズ部材２Ｂとから構成されている。
【００１８】
眼鏡２Ａは、例えば度の付いていないレンズ４、４がフレーム６に嵌め合わされて構成されている。一方、度付きのレンズが具備されたつる無しレンズ部材２Ｂは、度付きのレンズ８、８が枠体１０に嵌め合わされて構成されている。
そして、このような眼鏡２Ａにつる無しレンズ部材２Ｂが着脱自在に取付けられることにより、所定の度数を備えた老眼鏡２が構成されている。
【００１９】
なお、本明細書において「フレーム」とは、例えば、眼鏡２Ａにおいては、２つのレンズ４、４を囲んで接続する枠体１０の部分と、耳にひっかけて装着するつる６ａの部分とを含んでの総称である。
また、本明細書において「レンズ」とは、視覚情報を取り入れる部分である。
【００２０】
さらに、本明細書において「リム」とは、例えばレンズ４あるいは８を入れる輪に相当する部分であり、形状は限定されない。
また、本明細書において「智」とは、例えば、眼鏡２Ａにおいて、フレーム６の一部を構成する棒状のつる６ａと、リムとの接続部付近をいい、図１では丸で囲ったＡ付近をいう。
【００２１】
本実施例の老眼鏡２では、つる６ａおよび枠体１０が合成樹脂により構成されているとともに、丸で囲った智の部分に、図２に示したように、それぞれ磁石１２が内蔵されている。
【００２２】
なお、この磁石１２は、眼鏡２Ａにおいてもつる無しレンズ部材２Ｂにおいても、左右両側の智の部分に、それぞれ内蔵されている。
眼鏡２Ａの度の付いていないレンズ４を囲繞する枠体１０と、つる無しレンズ部材２Ｂの度付きのレンズ８、８を囲繞する枠体１０とは、同一形状であるため同じ符号を付すとともに、図３に示したように、これらを互いに合致させたときには、凹凸の無い緊密な面合わせを行うことができる。そして、このような面合わせにより所定の度数を備えた老眼鏡２が構成される。
【００２３】
本考案では、伊達眼鏡ともいうべき眼鏡２Ａと、度付きのレンズが具備されたつる無しレンズ部材２Ｂとを、着脱自在に取り付けて所定の度数を備えた老眼鏡２を構成するため、例えば図４に示したように、度数の異なるつる無しレンズ部材２Ｂを４種類用意し、これらから選択的に所望とする度数を選ぶこともできるし、あるいは、２つあるいはそれ以上のつる無しレンズ部材２Ｂを選ぶこともできる。このようにして度の強さを適宜調整することができる。
【００２４】
なお、度付きのレンズ８、８が具備されてなるつる無しレンズ部材２Ｂを、複数個選択し、これらのレンズ部材２Ｂを積層状態に合致させる場合、互いの間は、磁石１２で接続されることになる。
なお、このような度付きのレンズ８、８が具備されてなるつる無しレンズ部材２Ｂを、多数個用意するとともに（図４の実施例の場合４個）、度の付いていないレンズ４、４が枠体１０に嵌め合わされてなる眼鏡２Ａを１つ用意し、これらを図５のように分解した状態で一つのケース１８内に収容すれば、持ち運びが容易な老眼鏡セット２０とすることができる。
【００２５】
老眼鏡セット２０では、様々な度数をその場で提供することができるので、特に個人用としては勿論のこと、不特定多数の使用を想定した公共用としても好適である。
【００２６】
以上、本考案の一実施例について説明したが、本考案は、この実施例に何ら限定されない。例えば、上記実施例では、眼鏡２Ａの度の付いていないレンズ４、４を無色透明としているが、これに代え紫外線を遮断するように有色のレンズを用いることもできる。
【００２７】
さらに、本考案では、図４あるいは図５のようにつる無しレンズ部材２Ｂが複数個具備される場合、具備されたレンズ８、８の度数を目視で識別できるように、枠体１０を度数ごとに様々な色に着色することもできる。このように設定すれば、使用者は、色で所望とする度数を選択することができる。
【００２８】
また、ケース１８内には、眼鏡拭き、あるいは、持ち運び用として小袋などを収納させることもできる。
【符号の説明】
【００２９】
２      老眼鏡
２Ａ    眼鏡
２Ｂ    つる無しレンズ部材
４      度の付いていないレンズ
６      フレーム
６ａ    つる
８      度付きのレンズ
１０    枠体
１２    磁石
１８    ケース
２０    老眼鏡セット
【図１】
0003212870.tif 000003
【図２】
0003212870.tif 000004
【図３】
0003212870.tif 000005
【図４】
0003212870.tif 000006
【図５】
0003212870.tif 000007